(57)【要約】  信号処理部（１１）は、ＡＶデータに含まれるメニューをディスプレイ（４）に表示するものであり、信号処理部（１１）は、タッチパネル（５）へのユーザ操作によりメニューに含まれるボタンが選択されると、そのボタンの動作処理を実行し、その実行後において当該ボタンが選択状態であると、メニューを当該ボタンの選択前の状態とする構成とする。これにより、ダミーボタンがタッチパネル操作で選択された時の使い勝手を良くすることができる。
2014045591.tif 000002
【特許請求の範囲】
【請求項１】
ＡＶデータを取得するデータ通信部と、このデータ通信部から入力された前記ＡＶデータを信号処理する信号処理部と、この信号処理部から出力された映像を表示するディスプレイと、このディスプレイと一体となったユーザ操作を受け付けるタッチパネルと、を備え、
前記信号処理部は、前記ＡＶデータに含まれるメニューを前記ディスプレイに表示するものであり、
前記信号処理部は、前記タッチパネルへのユーザ操作により前記メニューに含まれるボタンが選択されると、そのボタンの動作処理を実行し、その実行後において当該ボタンが選択状態であると、前記メニューを当該ボタンの選択前の状態とするデータ処理装置。
【請求項２】
前記信号処理部は、前記メニューに含まれるボタンが選択されると、当該ボタンをハイライト表示する請求項１に記載のデータ処理装置。
【請求項３】
前記信号処理部は、前記メニュー毎に付されるボタンＩＤにより、ボタンの動作処理前後の選択されたボタンが同一であると判断する請求項１に記載のデータ処理装置。
【請求項４】
前記信号処理部は、ボタンの動作処理前後でメニューが異なる場合、前記ボタンＩＤが同一であっても、ボタンの動作処理後に選択状態であるボタンは、ボタンの動作処理前とは異なると判断する請求項３に記載のデータ処理装置。
【請求項５】
前記信号処理部は、前記メニューに含まれるボタンの動作実行後において、当該ボタンの選択状態が継続されていると、当該ボタンのハイライト表示を所定時間継続する請求項２に記載のデータ処理装置。
【請求項６】
前記ボタンは、ユーザ操作により選択されても、前記信号処理部が動作処理を実行しないダミーボタンである請求項１に記載のデータ処理装置。
【請求項７】
前記ボタンがアニメーションを繰り返し再生するもの、操作音が鳴るもの、または操作後にストリームＩＤが異なるものは、当該ボタンの選択状態を継続する請求項１に記載のデータ処理装置。
【請求項８】
ＡＶデータを取得するステップと、
前記ＡＶデータに含まれるメニューをディスプレイに表示するステップと、
ユーザ操作により選択された、前記メニューに含まれるボタンの動作処理を実行するステップと、
そのボタンの動作実行後において当該ボタンが選択状態であると、前記メニューを当該ボタンの選択前の状態とするステップと、
をコンピュータに実行させるためのプログラム。
【発明の詳細な説明】
【技術分野】
【０００１】
本発明は、ＢＤ−ＲＯＭ（Ｂｌｕ−ｒａｙ（登録商標）−Ｒｅａｄ−Ｏｎｌｙ−Ｍｅｍｏｒｙ）などの記録媒体に保持されたＡＶデータを処理するデータ処理装置に関するものである。
【背景技術】
【０００２】
この種のデータ処理装置は、ＡＶデータを取得するデータ通信部と、このデータ通信部から入力されたＡＶデータを信号処理する信号処理部と、この信号処理部から出力された映像を表示するディスプレイと、このディスプレイと一体となったユーザ操作を受け付けるタッチパネルとを備える。【０００３】
この信号処理部は、ＡＶデータに含まれるメニューをディスプレイに表示し、そのメニューに含まれるボタンをユーザが選択すると、そのボタンをハイライト表示する。（例えば、下記特許文献１参照）。【０００４】
ＢＤ−ＲＯＭなどでは、何も処理を行わないボタン（ダミーボタン）や、画面上にボタンを表示しない隠しボタンをメニューに備える場合がある。これらのボタンは、リモコンによる操作を想定して作られている。【０００５】
そのため、リモコンでは選択できないようになっているが、タッチパネルを備えたディスプレイでは、ユーザが画面上のボタンに触れることにより直接選択することが可能となっている。【０００６】
しかしながら、従来例では、ユーザがタッチパネルにより、このダミーボタンを選択すると、このダミーボタンの選択状態（ハイライト表示など）が継続されることとなり、ユーザはメニューがどのような状態であるか理解できない問題がある。【０００７】
具体的には、従来例は、ボタンを選択すればハイライト表示する。この場合、例えば機能表示がなく枠だけのダミーボタンをユーザがタッチパネルで選択すると、このダミーボタンにハイライト表示が移動する。そうすると、ボタンの無いところにハイライトが移動したメニュー画面となり、ユーザはメニューの状態を理解することができず、混乱してしまう。
【先行技術文献】
【特許文献】
【０００８】
【特許文献１】特開２０１２−７９０９０号公報
【発明の概要】
【発明が解決しようとする課題】
【０００９】
本発明は、上記背景の下でなされたものである。本発明の目的は、メニュー画面の使い勝手を良くすることにある。
【課題を解決するための手段】
【００１０】
本開示の第１の局面のデータ処理装置は、ＡＶデータを取得するデータ通信部と、このデータ通信部から入力されたＡＶデータを信号処理する信号処理部と、この信号処理部から出力された映像を表示するディスプレイと、このディスプレイと一体となったユーザ操作を受け付けるタッチパネルと、を備え、信号処理部は、ＡＶデータに含まれるメニューをディスプレイに表示するものであり、信号処理部は、タッチパネルへのユーザ操作によりメニューに含まれるボタンが選択されると、そのボタンの動作処理を実行し、その実行後において当該ボタンが選択状態であると、メニューを当該ボタンの選択前の状態とする。  【００１１】
以上のように本開示の第１の局面のデータ処理装置は、ＡＶデータを取得するデータ通信部と、このデータ通信部から入力されたＡＶデータを信号処理する信号処理部と、この信号処理部から出力された映像を表示するディスプレイと、このディスプレイと一体となったユーザ操作を受け付けるタッチパネルと、を備え、信号処理部は、ＡＶデータに含まれるメニューをディスプレイに表示するものであり、信号処理部は、タッチパネルへのユーザ操作によりメニューに含まれるボタンが選択されると、そのボタンの動作処理を実行し、その実行後において当該ボタンが選択状態であると、メニューを当該ボタンの選択前の状態とする構成としたものであるので、使い勝手を良くすることができる。【００１２】
すなわち、タッチパネルによりユーザが直接操作したボタンがダミーボタンであると、何も処理が行われず、そのダミーボタンが選択された状態となる。しかしその後、メニューがこのダミーボタンの選択前の状態に戻るため、あたかもダミーボタンが選択できないかのように動作する。そのため、ユーザがダミーボタンを直接操作したとしても、メニュー状態が変化せず、誤解を与えることがない。その結果として、使い勝手の良いものとなるのである。【００１３】
以下に説明するように、本発明には他の態様が存在する。したがって、この発明の開示は、本発明の一部の態様の提供を意図しており、ここで記述され請求される発明の範囲を制限することは意図していない。
【図面の簡単な説明】
【００１４】
【図１】図１は、本発明の実施形態にかかるデータ処理装置の構成図
【図２】図２は、本データ処理装置のブロック図
【図３】図３は、本データ処理装置のメニュー画面を説明する図
【図４】図４は、本データ処理装置の動作フローチャート
【図５】図５は、本データ処理装置のメニュー画面を説明する図
【図６】図６は、本データ処理装置の動作フローチャート
【発明を実施するための形態】
【００１５】
以下、本発明の一実施形態を、添付図面を用いて説明する。
【００１６】
（実施の形態１）
図１は、データ処理装置１のシステムとしての使用形態の一例を示している。
【００１７】
データ処理装置１は、ＢＤ−ＲＯＭ２、リムーバブルメディア３を収容可能とし、各種データを取得する。また、データ処理装置１は、ディスプレイ４を備え、その画面上には、タッチパネル５が取り付けられている。
【００１８】
さらに、データ処理装置１は、ネットワーク接続したＷＷＷサーバ６と交信することもでき、リモコン７による操作やスピーカ８から音楽などを鳴らすようにしてもよい。
【００１９】
図２は、データ処理装置１のブロック図を示している。
【００２０】
本実施の形態では、ＢＤ−ＲＯＭ２からピックアップ９により取得したＡＶデータをデータ処理するとしている。もちろん、リムーバブルメディア３からＡＶデータを取得してもよいし、ネットワークインターフェース１２を介して、ＷＷＷサーバ６からＡＶデータを取得してもよい。
【００２１】
データ処理装置１は、ＢＤ−ＲＯＭ２に記録されたＡＶデータを取得するデータ通信部１０と、このデータ通信部１０から入力されたＡＶデータを信号処理する信号処理部１１を備える。
【００２２】
この信号処理部１１から出力された映像を表示するディスプレイ４は、このディスプレイ４と一体となったユーザ操作を受け付けるタッチパネル５を備える。
【００２３】
信号処理部１１は、データ通信部１０から入力されたＡＶデータをデータ処理し、このＡＶデータに含まれるメニューをディスプレイ４に表示する。
【００２４】
図３に示すようなメニューが一例である。メニューは、映像にグラフィックを重畳することで実現される。信号処理部１１が、ＡＶデータをデータ処理することでグラフィックを作成し、映像にグラフィックを重畳する処理を行う。
【００２５】
この時、信号処理部１１は、メニューに含まれるボタンが選択された時、ハイライト表示１３するグラフィックを生成する。ハイライト表示１３とは、例えば、ボタンを枠で囲む、ボタンに表示されている文字を赤く表現する表示のことである。なお、視覚的に選択されたボタンとそうでないボタンが区別できるものであればよい。
【００２６】
図３の説明に戻る。
【００２７】
「本編」、「字幕音声メニュー」、「チャプターメニュー」、「特典映像」と表示されたボタンは、通常ボタン１４である。ユーザが、タッチパネル５を直接操作することでこの通常ボタン１４を選択すると、その選択されたボタンの機能を実行する。
【００２８】
ここで、ＢＤ−ＲＯＭ２などでは、通常ボタン１４間に空白部分や、通常ボタン１４の上下部分にダミーボタン１５を有するタイトルも存在する。
【００２９】
このダミーボタン１５は、メニューを構成するために設けられ、リモコン７の十字キーを上下左右に操作することでは、選択できないようになっている。しかし、ユーザがタッチパネルを直接操作すれば、このダミーボタン１５は選択可能である。
【００３０】
このように、ダミーボタン１５は、選択可能であるが、何の機能とも結びついていないボタンであるため、メニューが変わったりするなどの動作は起きない。
【００３１】
次に、図４を用いて、通常ボタン１４がタッチパネル５により操作されたときの処理について説明する。
【００３２】
信号処理部１１は、ユーザが画面をタッチしたことをタッチパネル５から取得すると、タッチされた箇所にボタンがあるかどうかを確認する（ステップ１）。
【００３３】
信号処理部１１は、ボタンが存在する場合、そのボタンを選択し、ハイライト表示１３する（ステップ２）。そして、信号処理部１１は、選択されたボタンを実行する（ステップ３）。
【００３４】
そうすることで、ボタンに定義されているナビゲーションコマンドが動作して、再生位置が切り替わる、またはストリームが切り替わるなどの動作をする。なお、タイトルは、複数のストリームで構成され、各ストリームの再生順が規定され、それにより様々な映像や音声が再生可能となっている。
【００３５】
次に、図５および図６を用いて、ユーザがタッチパネル５でダミーボタン１５を操作したときの処理について説明する。図５は、メニューがどのような表示状態となるかを示し、図６は、その処理フローを示している。
【００３６】
まず、図５（ａ）に示すように、信号処理部１１は、ユーザがタッチパネル５でダミーボタン１５をタッチしたことを検知すると（ステップＳ５、Ｙｅｓ）、タッチする前に選択状態にあったボタンＩＤをメモリ（図示せず）に保持しておく（ステップＳ６）。なお、それぞれのボタンは、メニュー毎にユニークなボタンＩＤが割り当てられている。
【００３７】
この時、信号処理部１１は、操作されたボタンがダミーボタンであるか通常ボタン１４であるかの区別はしない。したがって、タッチする前に選択状態にあったボタンＩＤをメモリ（図示せず）に保持しておく（ステップＳ６）処理は、通常ボタン１４が操作された場合も行う。
【００３８】
次に、信号処理部１１は、ユーザがタッチパネル操作でタッチしたボタンを選択し（ステップＳ７）、実行する（ステップＳ８）。
【００３９】
次のステップＳ９では、信号処理部１１は、ステップＳ６で保持したボタンＩＤと、ステップＳ８の実行後に選択状態にあるボタンＩＤとが同一かどうかを判断する。信号処理部１１は、ボタンＩＤが同一であれば、しばらくこのボタンの選択状態を継続した後（ステップＳ１０）、ステップＳ６で保持したボタンＩＤの選択状態に戻す（図５（ｄ））。
【００４０】
このような状態となるのは、ステップＳ５でタッチしたボタンがダミーボタン１５であるためである。この時、図５に示すように、ハイライト表示の消去や（図５（ｂ））、ボタンそのものが消えてしまう（図５（ｃ））。
【００４１】
なお、ステップＳ１０の時間をユーザが気付かない瞬間的な時間でハイライト表示を移動させるのではなく、ハイライト表示が一瞬だけ消えてもとあったボタンへとハイライト表示が戻るようにしてもよい。そうすれば、ユーザは、操作の出来ないボタンを選択してしまったことを理解することが可能となる。
【００４２】
また、ステップＳ９で、信号処理部１１は、ステップＳ６で保持したボタンＩＤと、ステップＳ８の実行後に選択状態にあるボタンＩＤとが同一であっても、以下の場合は、そのボタンの選択状態を維持する。
【００４３】
具体的には、実行後に選択されているボタンがアニメーションを繰り返し再生するものや操作音が鳴るものである場合、選択可能なボタンの総数に変化があった場合、メニューのページが変化した場合、およびストリームＩＤが変化した場合である。
【００４４】
ボタンのアニメーションは、開始の画像から終了の画像まで複数毎の画像を一定の間隔で表示する機能である。アニメーションが繰り返し表示されている場合は、そのボタンの動きをボタンの位置が変化するまで見せたいというコンテンツ作成者の意図を汲み取ることができるので、ボタンの選択状態を継続する方が好ましい。操作音が鳴るものも同様である。
【００４５】
選択可能なボタンの総数に変化があるとは、ナビゲーションコマンドでボタンを有効と無効とを切り替える処理が該当する。この場合は、選択されているボタンは変化が無くともナビゲーションコマンドによってボタン総数が変化したことになるので、ナビゲーションコマンドに効果があったと判断する。
【００４６】
メニューのページが変化した場合とは、メニューそのものが変化することを表す。ボタンＩＤは、メニュー毎にユニークであるが、メニューが変わった場合に同じボタンＩＤになる場合がある。その場合にステップＳ１１の処理を行うと、ユーザが混乱を来たすからである。
【００４７】
ストリームＩＤが変化した場合とは、音声や字幕を選択するボタンが該当する。例えば、ボタンを押と音声が日本語から英語に変わり、再度ボタンを押すと音声が英語から日本語に変わるものがある。この場合、ボタンを押す度に再生するストリームＩＤは変化するが、ボタンＩＤは変化しない。この場合、ボタンＩＤは変化しないが、何の機能とも繋がっていないダミーボタンではないので、ステップＳ１１の処理は行わない。
【００４８】
なお、図６の動作フローは、データ処理装置１に搭載されたプログラムとして説明したが、ＢＤ−ＲＯＭ２、リムーバブルメディア３、およびＷＷＷサーバ６のいずれにもこのプログラムを搭載することが可能である。
【００４９】
以上説明したように、本実施の形態のデータ処理装置１は、ＡＶデータを取得するデータ通信部１０と、このデータ通信部１０から入力されたＡＶデータを信号処理する信号処理部１１と、この信号処理部１１から出力された映像を表示するディスプレイ４と、このディスプレイ４と一体となったユーザ操作を受け付けるタッチパネル５と、を備え、信号処理部１１は、ＡＶデータに含まれるメニューをディスプレイ４に表示するものであり、信号処理部１１は、タッチパネル５へのユーザ操作によりメニューに含まれるボタンが選択されると、そのボタンの動作処理を実行し、その実行後において当該ボタンが選択状態であると、メニューを当該ボタンの選択前の状態とする構成としたものであるので、使い勝手を良くすることができる。
【００５０】
すなわち、タッチパネル５によりユーザが直接操作したボタンがダミーボタンであると、何も処理が行われず、そのダミーボタンが選択された状態となる。しかしその後、メニューがこのダミーボタンの選択前の状態に戻るため、あたかもダミーボタンが選択できないかのように動作するため、ユーザがダミーボタンを直接操作したとしても、メニュー状態が変化せず、誤解を与えることがない。その結果として、使い勝手の良いものとなるのである。
【００５１】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【００５２】
以上のように本発明のデータ処理装置は、取得するデータ通信部と、このデータ通信部から入力されたＡＶデータを信号処理する信号処理部と、この信号処理部から出力された映像を表示するディスプレイと、このディスプレイと一体となったユーザ操作を受け付けるタッチパネルと、を備え、信号処理部は、ＡＶデータに含まれるメニューをディスプレイに表示するものであり、信号処理部は、タッチパネルへのユーザ操作によりメニューに含まれるボタンが選択されると、そのボタンの動作処理を実行し、その実行後において当該ボタンが選択状態であると、メニューを当該ボタンの選択前の状態とする構成としたものであるので、使い勝手を良くすることができる。【００５３】
したがって、ＡＶデータをデータ処理するデータ処理装置としての活用が期待されるものとなる。
【符号の説明】
【００５４】
１  データ処理装置
２  ＢＤ−ＲＯＭ
３  リムーバブルメディア
４  ディスプレイ
５  タッチパネル
６  ＷＷＷサーバ
７  リモコン
８  スピーカ
９  ピックアップ
１０  データ通信部
１１  信号処理部
１２  ネットワークインターフェース
１３  ハイライト表示
１４  通常ボタン
１５  ダミーボタン
【図１】
2014045591.tif 000003
【図２】
2014045591.tif 000004
【図３】
2014045591.tif 000005
【図４】
2014045591.tif 000006
【図５】
2014045591.tif 000007
【図６】
2014045591.tif 000008
【国際調査報告】
2014045591.tif 000009
2014045591.tif 000010
2014045591.tif 000011
2014045591.tif 000012